(57)【特許請求の範囲】
【請求項１】
第１ギアが設けられ、表示画面部を支持する表示画面支持部材と、
水平面内で回動可能に構成され、前記表示画面支持部材を支持する旋回板と、
前記旋回板に固定され、前記表示画面支持部材を垂直面に対して前後方向に回動可能に支持する垂直支持部材と、
前記第１ギアと噛合する第２ギアが設けられ、前記旋回板の水平面内の回動角度に拘わらず、所定の方向に直線移動可能なラックプレートとを備え、
前記第２ギアは、前記ラックプレートに対して水平面内で回動可能に設けられており、
前記ラックプレートが水平面内で前記所定の方向に直線移動されることに伴って前記第２ギアが前記所定の方向に移動されることにより、前記第２ギアに噛合された前記第１ギアが移動されることによって、前記表示画面支持部材が垂直面に対して所定の角度前後方向に回動されるように構成されている、表示画面旋回装置。
【請求項２】
前記第１ギアは、前記表示画面支持部材に対して回動しないように固定されており、
前記第２ギアは、前記表示画面支持部材が水平面内で回動するのに伴って、前記第１ギアを介して水平面内で回動するように構成されている、請求項１に記載の表示画面旋回装置。
【請求項３】
前記表示画面支持部材が水平面内で回動されることに伴って、前記第１ギアおよび前記第２ギアが回動されることにより、前記ラックプレートの移動方向と、前記第１ギアと前記第２ギアとの噛合方向とが異なっている状態において、前記ラックプレートが水平面内で直線移動されることに伴って前記第２ギアが移動される場合に、前記第２ギアに噛合された前記第１ギアは、前記第２ギアの移動に伴って前記噛合方向に移動可能で、かつ、前記噛合方向と垂直な方向に前記第２ギアに対してスライド移動可能なように構成されている、請求項２に記載の表示画面旋回装置。
【請求項４】
前記第１ギアの歯面は、側面から見て、前記第２ギアに向かって凸形状で、かつ、円弧状の形状を有するように形成されているとともに、前記第２ギアは、平坦面状に形成された複数の歯先を有するラックギアである、請求項１〜３のいずれか１項に記載の表示画面旋回装置。
【請求項５】
テレビ映像を表示する表示画面部と、
第１ギアが設けられ、前記表示画面部を支持する表示画面支持部材と、
水平面内で回動可能に構成され、前記表示画面支持部材を支持する旋回板と、
前記旋回板に固定され、前記表示画面支持部材を垂直面に対して前後方向に回動可能に支持する垂直支持部材と、
前記第１ギアと噛合する第２ギアが設けられ、前記旋回板の水平面内の回動角度に拘わらず、所定の方向に直線移動可能なラックプレートとを備え、
前記第２ギアは、前記ラックプレートに対して水平面内で回動可能に設けられており、
前記ラックプレートが水平面内で前記所定の方向に直線移動されることに伴って前記第２ギアが前記所定の方向に移動されることにより、前記第２ギアに噛合された前記第１ギアが移動されることによって、前記表示画面支持部材が垂直面に対して所定の角度前後方向に回動されるように構成されている、テレビジョン装置。
【発明の詳細な説明】
【技術分野】
【０００１】
この発明は、表示画面旋回装置およびテレビジョン装置に関し、特に、表示画面部を支持する表示画面支持部材を備えた表示画面旋回装置およびテレビジョン装置に関する。
【背景技術】
【０００２】
従来、液晶テレビなどの表示画面部を支持する表示画面支持部材を備えた表示画面旋回装置が知られている（たとえば、特許文献１〜３参照）。
【０００３】
上記特許文献１に開示されている平面ディスプレイのヒンジ装置（表示画面旋回装置）は、平面ディスプレイ（表示画面部）の下方を支持する傾動支持プレート（表示画面支持部材）と、傾動支持プレートの下方に設けられ、傾動支持プレートの傾動（垂直面に対して所定の角度前後方向に回動すること）を伝える水平枢軸と、水平枢軸の両端近傍にそれぞれ一対設けられ、水平枢軸と傾動支持プレートとに固定された連結部材と、水平枢軸の両端部に設けられ、水平枢軸から伝えられた傾動の傾動位置を保持する複数枚の摩擦板とを含む前後方向傾動機構を備える。さらに、平面ディスプレイのヒンジ装置は、上面に水平枢軸が設けられた回動プレートと、回動プレートの下方に固定され、回動プレートを水平面内で左右方向に回動させる作動歯車と、作動歯車と噛合する小歯車を介して作動歯車の回動位置を保持する複数の摩擦板とを含む水平方向回動機構を備える。この特許文献１に記載の平面ディスプレイのヒンジ装置では、手動によって平面ディスプレイを前後方向に傾動させると、傾動支持プレートを介して傾動支持プレートを固定している連結部材が傾動し、連結部材が固定されている水平枢軸によって摩擦板に傾動が伝えられることにより、傾動支持プレートの傾動位置が保持される。また、手動によって平面ディスプレイを水平面内で左右方向に回動させると、回動プレートを介して回動プレートに固定されている作動歯車が水平面内で回動し、作動歯車と噛合する小歯車を介して複数の摩擦板に回動が伝えられることにより、回動プレートの回動位置が保持される。これにより、平面ディスプレイが前後方向に傾動可能であるとともに左右方向に回動可能であり、かつ、平面ディスプレイの前後方向の傾動状態および左右方向の回動状態が保持されるように構成されている。
【０００４】
また、上記特許文献２に開示されている平面ディスプレイのヒンジ装置（表示画面旋回装置）は、平面ディスプレイ（表示画面部）を支持する傾動支持プレート（表示画面支持部材）と、電動モータからなる駆動部と、傾動支持プレートの下方に、かつ、傾動支持プレートの中心から離れた位置に設けられ、駆動部からの駆動力によって上下運動するように構成されたネジと、ネジの上部に設けられ、傾動支持プレートを下方から支持する昇降駒とを含む前後方向傾動機構を備える。さらに、平面ディスプレイのヒンジ装置は、電動モータからなる駆動部と、上面に前後方向傾動機構が設けられた回動プレートと、回動プレートの下方に固定され、駆動部からの駆動力によって回動プレートを左右方向に回動させる歯車とを含む水平方向回動機構を備える。この特許文献２に記載の平面ディスプレイのヒンジ装置では、電動モータによってネジを上下運動させることによって、昇降駒を介して傾動支持プレートを前後方向に傾動させるように構成されているとともに、電動モータによって歯車を左右方向に回動させることによって、回動プレートを左右方向に回動させるように構成されている。
【０００５】
また、上記特許文献３には、駆動部と、突出部を有し、駆動力が伝達されるディスク部材と、突出部がはめ込まれる溝部を有し、ディスク部材に駆動力を伝達するリング部材とを備える回動装置が開示されている。この特許文献３に記載の回動装置では、駆動部からの駆動力により、ディスク部材を水平面内で回転させることができるように構成されるとともに、手動により力が加えられた場合には、突出部が溝部内でスリップすることにより、ディスク部材を水平面内で回動させることができるように構成されている。また、この特許文献３に記載の回動装置には、回動装置を垂直面に対して所定の角度前後方向に回動させるような機構は開示されていない。
【０００６】
【特許文献１】特開２００７−３３４１１２号公報
【特許文献２】特開２００７−２９３２４５号公報
【特許文献３】特開２００７−２９５４７６号公報
【発明の開示】
【発明が解決しようとする課題】
【０００７】
しかしながら、上記特許文献１に記載の平面ディスプレイのヒンジ装置では、連結部材に平面ディスプレイの重量が加えられるため、連結部材と水平枢軸または傾動支持プレートとの固定部に負荷が掛かるという不都合がある。このため、傾動支持プレートを垂直面に対して所定の角度前後方向に回動させるための連結部材が破損しやすいという問題点があると考えられる。
【０００８】
また、上記特許文献２に記載の平面ディスプレイのヒンジ装置では、ネジおよび傾動駒を垂直上方に移動させることにより、傾動支持プレートに下方からの押圧力を加えて前後方向に回動させる必要があるため、平面ディスプレイの垂直下方に働く重量の影響が大きいという不都合がある。このため、傾動支持プレートを垂直面に対して所定の角度前後方向に回動させるために、大きな力が必要となるという問題点がある。また、ネジおよび傾動駒が上下方向に移動する際に、平面ディスプレイによる垂直下方に働く重量が実質的にネジおよび傾動駒に集中するという不都合がある。このため、傾動支持プレートを垂直面に対して所定の角度前後方向に回動させるためのネジおよび傾動駒が破損しやすいという問題点がある。
【０００９】
また、上記特許文献３に記載の回動装置では、水平面内においてのみディスク部材を回動させることができるように構成されているため、回動装置の上部に設けられる表示画面部などを垂直面に対して所定の角度前後方向に回動させることはできないという問題点がある。
【００１０】
この発明は、上記のような課題を解決するためになされたものであり、この発明の１つの目的は、表示画面支持部材を垂直面に対して所定の角度前後方向に回動させるための部品の破損を抑制するとともに、大きな力を必要とせずに表示画面支持部材を垂直面に対して所定の角度前後方向に回動することが可能な表示画面旋回装置を提供することである。
【課題を解決するための手段および発明の効果】
【００１１】
この発明の第１の局面による表示画面旋回装置は、第１ギアが設けられ、表示画面部を支持する表示画面支持部材と、水平面内で回動可能に構成され、表示画面支持部材を支持する旋回板と、旋回板に固定され、表示画面支持部材を垂直面に対して前後方向に回動可能に支持する垂直支持部材と、第１ギアと噛合する第２ギアが設けられ、旋回板の水平面内の回動角度に拘わらず、所定の方向に直線移動可能なラックプレートとを備え、第２ギアは、ラックプレートに対して水平面内で回動可能に設けられており、ラックプレートが水平面内で所定の方向に直線移動されることに伴って第２ギアが所定の方向に移動されることにより、第２ギアに噛合された第１ギアが移動されることによって、表示画面支持部材が垂直面に対して所定の角度前後方向に回動されるように構成されている。
【００１２】
この第１の局面による表示画面旋回装置では、上記のように、ラックプレートが水平面内で直線移動されることに伴って第２ギアが移動されることにより、第２ギアに噛合された第１ギアが移動されることによって、表示画面支持部材を垂直面に対して所定の角度前後方向に回動されるように構成することによって、ラックプレートを水平面内で直線移動させることにより、表示画面支持部材を前後方向に回動させることによって、ラックプレートを垂直上方に移動させることにより、表示画面支持部材に下方からの押圧力を加えて前後方向に回動させる場合と比べて、表示画面部の垂直下方に働く重量の影響を少なくすることができるので、大きな力を必要とせずに表示画面支持部材を垂直面に対して所定の角度前後方向に回動することができる。また、ギア部材を用いることにより、ギアの複数の歯に力が分散されるので、表示画面部の垂直下方に働く重量が実質的に一点に集中するように構成される上下方向に移動するように設けられたネジ部材や、平面ディスプレイの重量による負荷が固定部に加えられるように構成される連結部材を用いる場合に比べて、表示画面支持部材を垂直面に対して所定の角度前後方向に回動させるための部品の破損を抑制することができる。
【００１３】
上記第１の局面による表示画面旋回装置において、好ましくは、第２ギアは、ラックプレートに対して水平面内で回動可能に設けられている。このように構成すれば、表示画面支持部材が水平面内で所定の角度回動した状態であっても、第１ギアと第２ギアとを噛合させることができるので、表示画面支持部材を垂直面に対して所定の角度前後方向に回動させることができる。
【００１４】
この場合、好ましくは、第１ギアは、表示画面支持部材に対して回動しないように固定されており、第２ギアは、表示画面支持部材が水平面内で回動するのに伴って、第１ギアを介して水平面内で回動するように構成されている。このように構成すれば、第２ギアを回動させるために別途部材を必要としないので、部品点数の増加を抑制することができる。
【００１５】
上記第２ギアが表示画面支持部材の水平面内での回動に伴って回動する表示画面旋回装置において、好ましくは、表示画面支持部材が水平面内で回動されることに伴って、第１ギアおよび第２ギアが回動されることにより、ラックプレートの移動方向と、第１ギアと第２ギアとの噛合方向とが異なっている状態において、ラックプレートが水平面内で直線移動されることに伴って第２ギアが移動される場合に、第２ギアに噛合された第１ギアは、第２ギアの移動に伴って噛合方向に移動可能で、かつ、噛合方向と垂直な方向に第２ギアに対してスライド移動可能なように構成されている。このように構成すれば、ラックプレートの移動方向と、第１ギアと第２ギアとの噛合方向とが異なっている状態においても、ラックプレートが移動した際に、第１ギアが第１ギアの噛合方向と垂直な方向に第２ギアに対してスライド移動することにより、第１ギアと第２ギアとの噛合は維持される。これにより、ラックプレートの移動方向と、第１ギアと第２ギアとの噛合方向とが異なっている状態においても、ラックプレートの直線移動によって、表示画面支持部材を垂直面に対して所定の角度前後方向に回動させることができる。
【００１６】
上記第１の局面による表示画面旋回装置において、好ましくは、第１ギアの歯面は、側面から見て、第２ギアに向かって凸形状で、かつ、円弧状の形状を有するように形成されているとともに、第２ギアは、平坦面状に形成された複数の歯先を有するラックギアである。このように構成すれば、第２ギアが設けられているラックプレートが水平面内で直線移動することにより、第２ギアの歯面が水平面内で直線移動する。これにより、第２ギアに噛合され、第２ギアに向かって凸形状で、かつ、円弧状の歯面を有する第１ギアは、第２ギアの直線移動に伴って回動するように移動されるので、第１ギアが設けられている表示画面支持部材を、垂直面に対して所定の角度前後方向に回動させることができる。
【００１７】
この発明の第２の局面によるテレビジョン装置は、テレビ映像を表示する表示画面部と、第１ギアが設けられ、表示画面部を支持する表示画面支持部材と、水平面内で回動可能に構成され、表示画面支持部材を支持する旋回板と、旋回板に固定され、表示画面支持部材を垂直面に対して前後方向に回動可能に支持する垂直支持部材と、第１ギアと噛合する第２ギアが設けられ、旋回板の水平面内の回動角度に拘わらず、所定の方向に直線移動可能なラックプレートとを備え、第２ギアは、ラックプレートに対して水平面内で回動可能に設けられており、ラックプレートが水平面内で所定の方向に直線移動されることに伴って第２ギアが所定の方向に移動されることにより、第２ギアに噛合された第１ギアが移動されることによって、表示画面支持部材が垂直面に対して所定の角度前後方向に回動されるように構成されている。
【００１８】
この発明の第２の局面によるテレビジョン装置では、上記のように、ラックプレートが水平面内で直線移動されることに伴って第２ギアが移動されることにより、第２ギアに噛合された第１ギアが移動されることによって、表示画面支持部材を垂直面に対して所定の角度前後方向に回動されるように構成することによって、ラックプレートを水平面内で直線移動することにより、表示画面支持部材を前後方向に回動させることによって、ラックプレートを垂直上方に移動させることにより、表示画面支持部材に下方からの押圧力を加えて前後方向に回動させる場合と比べて、表示画面部の垂直下方に働く重量の影響を少なくすることができるので、大きな力を必要とせずに表示画面支持部材を垂直面に対して所定の角度前後方向に回動することができる。また、ギア部材を用いることにより、ギアの複数の歯に力が分散されるので、表示画面部の垂直下方に働く重量が実質的に一点に集中するように構成される上下方向に移動するように設けられたネジ部材や、平面ディスプレイの重量による負荷が固定部に加えられるように構成される連結部材を用いる場合に比べて、表示画面支持部材を垂直面に対して所定の角度前後方向に回動させるための部品の破損を抑制することができる。
【発明を実施するための最良の形態】
【００１９】
以下、本発明を具体化した実施形態を図面に基づいて説明する。
【００２０】
図１は、本発明の一実施形態による表示画面旋回装置が設けられた液晶テレビジョンの全体構成を示した斜視図である。図２は、図１に示した本発明の一実施形態による表示画面旋回装置が設けられた液晶テレビジョンの分解斜視図である。図３〜図８は、図１に示した本発明の一実施形態による表示画面旋回装置の詳細構造を示した図である。まず、図１〜図８を参照して、本発明の一実施形態による表示画面旋回装置２０の構造について説明する。なお、本実施形態では、テレビジョン装置の一例である液晶テレビジョン１００を支持する表示画面旋回装置２０に本発明を適用した場合について説明する。
【００２１】
本発明の一実施形態による表示画面旋回装置２０は、図１に示すように、表示画面支持機構８０によって支持されている液晶テレビジョン１００のディスプレイ本体１０を水平面内で左右方向（矢印Ａ方向およびＢ方向）に所定の角度旋回させることを可能とするために設けられているとともに、垂直面に対して前後方向（矢印Ｃ方向およびＤ方向）に所定の角度傾けることを可能とするために設けられている。なお、ディスプレイ本体１０は、本発明の「表示画面部」の一例である。
【００２２】
また、表示画面旋回装置２０は、図３に示すように、表示画面支持機構８０（図２参照）によって支持されているディスプレイ本体１０（図２参照）を水平面内で左右方向（図１の矢印Ａ方向およびＢ方向）に旋回させるための台座部３０と、台座部３０に配置された後述する旋回板３１を左右方向に旋回させるとともに旋回板３１の旋回角度を制御する水平旋回駆動部４０と、表示画面支持機構８０によって支持されているディスプレイ本体１０を垂直面に対して前後方向（図１の矢印Ｃ方向およびＤ方向）に所定の角度だけ旋回させるとともに表示画面支持機構８０の旋回角度を制御する垂直旋回駆動部５０とから構成されている。
【００２３】
また、台座部３０は、図３〜図５に示すように、表示画面支持機構８０（図５参照）が取り付けられる板金製の旋回板３１と、内部に複数の鋼球３２（図５参照）を所定の間隔で配置するとともに、鋼球３２（図５参照）を回転可能に保持する樹脂製のガイド部材３３（図５参照）と、板金製のベース部材３４と、旋回板３１をベース部材３４上で回動可能に支持する金属製の支持部材（図示せず）と、後述するギア４５およびギア５５の回動軸が回動可能に挿入されるとともに、垂直旋回駆動部５０のラックプレート６０が水平面内で往復移動可能に挿入される樹脂製のボス部材３５と、ボス部材３５に挿入されるラックプレート６０の抜止用リング部材３６とから構成されている。
【００２４】
また、台座部３０の旋回板３１は、図５および図６に示すように、上面３１ａに設けられた４つのネジ取付孔３１ｂと、上面３１ａの中心部（旋回板３１の回動中心点近傍）に設けられた孔３１ｃとを含んでいる。また、図３に示すように、旋回板３１は、ベース部材３４の実質的に中央部に配置されるとともに、水平面内を回動可能なように配置されている。また、旋回板３１を円形状に取り囲むようにベース部材３４に設けられた複数の支持部材（図示せず）が、旋回板３１の外周面３１ｄ（図５参照）と、ガイド部材３３（図５参照）の外周面３３ａ（図５参照）とに面接触することによって、旋回板３１は水平面内を回動可能に保持されている。
【００２５】
また、垂直旋回駆動部５０は、図３および図５に示すように、複数のギア部材からなる伝達ギア部５１と、伝達ギア部５１の駆動源となるステッピングモータ５２と、台座部３０の旋回板３１上に取り付けられた表示画面支持機構８０に回動可能に設けられた、後述する表示画面支持部材８１を垂直面に対して前後方向（図１の矢印Ｃ方向およびＤ方向）に回動させるためのラックプレート６０とから構成されている。
【００２６】
また、ラックプレート６０は、図５に示すように、板金製のプレート部材６１と、樹脂製のラックギア６２および６３とから構成されている。なお、ラックギア６３は、本発明の「第２ギア」の一例である。また、ラックプレート６０は、ラックプレート６０の上面および下面の略全面が、水平面状になるように配置されている。また、ラックギア６２は、図５に示すように、１つのネジ９０によってプレート部材６１の下面側に取り付けられている。また、ラックギア６２は、図３に示すように、後述するギア５５の小径ギア部５５ｂに対して水平方向に噛合するように構成されている。
【００２７】
また、プレート部材６１は、図５に示すように、プレート部材６１の長手方向の両端部近傍に、プレート部材６１の長手方向に沿って延びる長孔６１ａおよび６１ｂがそれぞれ形成されるとともに、プレート部材６１の実質的に中央部に、ラックギア６３の突出部６３ａが挿入される円状の挿入孔６１ｃが形成されている。さらに、プレート部材６１は、２つの位置決め孔６１ｄと、ネジ取付孔６１ｅとを有している。
【００２８】
また、ラックギア６２は、図５に示すように、長手方向の一方側面部に沿ってギア部６２ａが形成されるとともに、２つのボス６２ｂおよび１つのネジ挿入孔６２ｃが形成されている。したがって、図５に示すように、ラックギア６２のボス６２ｂをプレート部材６１の位置決め孔６１ｄにはめ込むとともに、ネジ９０をラックギア６２のネジ挿入孔６２ｃを介してプレート部材６１のネジ取付孔６１ｅに締め込むことによって、ラックギア６２をプレート部材６１に下方から取り付けることが可能なように構成されている。
【００２９】
ここで、本実施形態では、ラックギア６３は、図５に示すように、プレート部材６１に配置される裏面６３ｃの反対側である表面の全面に、複数の歯先を有する歯面６３ｂが、平坦面状に形成されている。また、ラックギア６３の裏面６３ｃの実質的に中央部には、プレート部材６１の挿入孔６１ｃに挿入可能なリング状の突出部６３ａ（図８参照）が形成されている。これにより、プレート部材６１の挿入孔６１ｃに突出部６３ａを挿入した状態において、歯面６３ｂは水平面状（平坦面状）になるように構成されているとともに、プレート部材６１に対して矢印Ｈ１方向および矢印Ｈ２方向（図３参照）に回動可能なように構成されている。
【００３０】
また、本実施形態では、図３および図４に示すように、ラックプレート６０が、プレート部材６１の長孔６１ａおよび６１ｂを介してベース部材３４に設けられた一対のボス部材３５にそれぞれ挿入された際に、ラックプレート６０は、矢印Ｐ方向および矢印Ｑ方向に直線状に往復移動可能なように構成されている。したがって、ラックプレート６０は、ステッピングモータ５２の正逆回転が伝達ギア部５１を介してラックギア６２まで伝達されることによって、旋回板３１上を矢印Ｐ方向および矢印Ｑ方向に直線状に往復移動することが可能なように構成されている。
【００３１】
また、表示画面支持機構８０は、図５に示すように、台座部３０の旋回板３１のネジ取付孔３１ｂに４つのネジ９０によって固定されている。これにより、台座部３０の旋回板３１が水平面上を回動するのに伴って、水平面内で回動可能なように構成されているとともに、ディスプレイ本体１０を表示画面旋回装置２０の垂直面に対して前後方向（矢印Ｃ方向およびＤ方向）に所定の角度だけ傾斜させた状態で支持することが可能なように構成されている。
【００３２】
また、表示画面支持機構８０は、図６に示すように、板金製の表示画面支持部材８１と、板金製の一対の垂直支持部材８２と、板金製の板状の支持軸８３と、板金製の抜止部材８４と、板金製の圧接板８５および８６と、ラックプレート６０のラックギア６３と噛合するように配置された、樹脂製の回動ギア８７とから構成されている。なお、回動ギア８７は、本発明の「第１ギア」の一例である。また、表示画面支持部材８１は、一対の垂直支持部材８２に所定のトルク以上で回動可能となるように取り付けられている。
【００３３】
また、表示画面支持部材８１は、図６に示すように、上方向（矢印Ｚ１方向）に延びるように一対設けられたディスプレイ本体取付部８１ａと、矢印Ｙ方向の両側面に設けられた一対の回動部８１ｂとを一体的に含んでいる。また、表示画面支持部材８１の一対のディスプレイ本体取付部８１ａには、それぞれネジ挿入孔８１ｃが形成されている。また、表示画面支持部材８１の一対の回動部８１ｂは、ディスプレイ本体取付部８１ａの両側端部から、それぞれ、ディスプレイ本体取付部８１ａの表面に対して垂直方向（矢印Ｘ方向）に延びるように設けられている。また、図６および図７に示すように、一対の回動部８１ｂの回動中心部近傍には、ぞれぞれ、扇形状の穴部８１ｄが形成されている。また、図６に示すように、表示画面支持部材８１には、ディスプレイ本体取付部８１ａから下方向（矢印Ｚ２方向）に延びるように設けられた胴部８１ｅが一体的に形成されている。
【００３４】
また、図６に示すように、胴部８１ｅの下端には、胴部８１ｅに対して垂直方向（矢印Ｘ方向）に突出する下面部８１ｆが形成されている。この下面部８１ｆは、胴部８１ｅと一体的に形成されている。また、下面部８１ｆの中央部には、回動ギア８７と表示画面支持部材８１とを固定するためのネジ９０が挿入されるネジ挿入孔８１ｇが形成されている。さらに、ネジ挿入孔８１ｇを挟むように矢印Ｘ方向に沿って、一対のボス挿入孔８１ｈが形成されている。この一対のボス挿入孔８１ｈには、回動ギア８７の後述する一対のボス８７ｂがそれぞれ挿入されるように構成されている。
【００３５】
ここで、本実施形態では、回動ギア８７は、図４に示すように、ラックプレート６０のラックギア６３の上方から噛合するように配置されているとともに、図５に示すように、表示画面支持部材８１の下面部８１ｆの略中心に配置されている。さらに、ラックギア６３と回動ギア８７とは、旋回板３１および表示画面支持部材８１の左右方向（図６の矢印Ｇ１方向および矢印Ｇ２方向）の回動中心線上に位置している。また、回動ギア８７の上面８７ａには、表示画面支持部材８１の一対のボス挿入孔８１ｈに挿入される一対のボス８７ｂが形成されている。また、一対のボス８７ｂの間の中央部には、ネジ孔８７ｃが形成されている。このネジ孔８７ｃは、表示画面支持部材８１のネジ挿入孔８１ｇと対応するように形成されている。
【００３６】
また、本実施形態では、図６および図８に示すように、回動ギア８７の下面８７ｄには、回動ギア８７の歯が全面にわたって形成されている。回動ギア８７の歯面は、側方から見て、下方（図６の矢印Ｚ２方向）に配置されているラックギア６３に向かって凸形状で、かつ、円弧状の形状を有するように形成されている。これにより、ラックギア６３と回動ギア８７とは、水平面内において、ラックギア６３と回動ギア８７との噛合方向である矢印Ｓ方向および矢印Ｔ方向（図８参照）と垂直な方向に、回動ギア８７はスライド移動可能なように構成されている。また、図５に示すように、回動ギア８７の上面８７ａは、ネジ９０によって表示画面支持部材８１の下面部８１ｆに固定されている。これにより、回動ギア８７は、表示画面支持部材８１に対して固定されるので、表示画面支持部材８１の水平面内での回動が、回動ギア８７を介して、回動ギア８７と噛合しているラックギア６３に伝えられるように構成されている。
【００３７】
また、扇形状の穴部８１ｄは、図６および図７に示すように、板状の支持軸８３を挿入するために設けられている。また、扇形状の穴部８１ｄは、図７に示すように、円心側の根元部８１ｉが上側に位置するように配置されているとともに、円心側の根元部８１ｉが支持軸８３の上面と当接される。これにより、扇形状の穴部８１ｄの根元部８１ｉが表示画面支持部材８１を介してディスプレイ本体１０の垂直荷重を受けるように構成されている。また、表示画面支持部材８１は、板状の支持軸８３に支持された扇形状の穴部８１ｄの根元部８１ｉを中心にして、支持軸８３に対して扇形状の角度範囲で回動可能に構成されている。すなわち、板状の支持軸８３は、表示画面支持部材８１の回動軸として機能する。これにより、表示画面支持部材８１は、ディスプレイ本体１０を表示画面旋回装置２０の垂直面に対して前後方向（矢印Ｃ方向およびＤ方向）に回動可能とするように構成されている。
【００３８】
また、一対の垂直支持部材８２は、図６に示すように、それぞれ、旋回板取付部８２ａと、回動部取付部８２ｂとを含んでいる。また、垂直支持部材８２の旋回板取付部８２ａには、それぞれ一対のネジ取付孔８２ｃが形成されている。また、垂直支持部材８２の回動部取付部８２ｂは、旋回板取付部８２ａの一方端部から旋回板取付部８２ａの表面に対して垂直方向の上方（矢印Ｚ１方向）に延びるように設けられている。
【００３９】
また、垂直支持部材８２の回動部取付部８２ｂには、扇形状の穴部８２ｄが形成されている。また、扇形状の穴部８２ｄは、板状の支持軸８３を挿入するために形成されている。また、扇形状の穴部８２ｄは、図７に示すように、円心側の根元部８２ｅが下側に位置するように配置されているとともに、支持軸８３の下面と当接される。これにより、扇形状の穴部８２ｄの根元部８２ｅが、表示画面支持部材８１および支持軸８３を介してディスプレイ本体１０の垂直荷重を受けるように構成されている。つまり、本実施形態では、表示画面支持部材８１の穴部８１ｄの根元部８１ｉと、垂直支持部材８２の穴部８２ｄの根元部８２ｅとによってディスプレイ本体１０の垂直荷重を受けるように構成されている。また、支持軸８３は、扇形状の穴部８２ｄの根元部８２ｅを中心にして、垂直支持部材８２に対して扇形状の角度範囲で回動可能に構成されている。
【００４０】
また、板金製の板状の支持軸８３は、図６に示すように、一対の当接部８３ａと、長方形状の穴部８３ｂとを含んでいる。支持軸８３の一対の当接部８３ａは、支持軸８３の長手方向に延びる両側面の後端部に突出するように設けられている。この当接部８３ａは、図５に示すように、表示画面支持部材８１側の圧接板８６と当接させるために設けられている。また、支持軸８３の長方形状の穴部８３ｂは、図６に示すように、抜止部材８４を挿入するために設けられている。
【００４１】
また、圧接板８５および８６には、図６に示すように、支持軸８３を挿入するための長方形の穴部８５ａおよび８６ａがそれぞれ設けられている。さらに、抜止部材８４は、圧接板８６の穴部８６ａ、表示画面支持部材８１の穴部８１ｄ、垂直支持部材８２の穴部８２ｄおよび圧接板８５の穴部８５ａに挿入される支持軸８３の挿入状態を保つために設けられている。この抜止部材８４は、支持軸８３が挿入された状態において、圧接板８５側で支持軸８３の穴部８３ｂに挿入されるように形成されている。
【００４２】
また、伝達ギア部５１は、図３に示すように、樹脂製のギア５３と、トルクリミッタ７０と、樹脂製のギア５４と、樹脂製のギア５５とが樹脂製のギアボックス５６の内部に配置されるように構成されている。また、図３および図５に示すように、樹脂製のギア５３は、大径ギア部５３ａと、小径ギア部５３ｂとを一体的に含んでいる。また、樹脂製のギア５４は、大径ギア部５４ａと、小径ギア部５４ｂとを一体的に含んでいる。また、樹脂製のギア５５は、大径ギア部５５ａと、小径ギア部５５ｂとを一体的に含んでいる。
【００４３】
また、図３および図５に示すように、ステッピングモータ５２の回転軸には、樹脂製のウォームギア５７が圧入されている。また、ウォームギア５７は、ギア５３の大径ギア部５３ａに対して回転軸が直交するように噛合されている。したがって、ステッピングモータ５２によって発生した駆動力は、ウォームギア５７を介してギア５３へと伝達される一方、ギア５３側およびギア５３以降のギア群によって発生した駆動力は、ウォームギア５７およびステッピングモータ５２を回転させることができないように構成されている。つまり、ウォームギア５７によってステッピングモータ５２側が発生する駆動力のみが、伝達ギア部５１へと伝達されるように構成されている。
【００４４】
また、図３および図５に示すように、ギア５３の小径ギア部５３ｂは、トルクリミッタ７０の原動側ギア７２に噛合されている。また、トルクリミッタ７０の従動側ギア７１は、ギア５４の大径ギア部５４ａに噛合されているとともに、ギア５４の小径ギア部５４ｂは、ギア５５の大径ギア部５５ａに噛合されている。また、ギア５５の小径ギア部５５ｂは、ラックギア６２のギア部６２ａに水平に噛合されている。したがって、ステッピングモータ５２の駆動力が、ウォームギア５７、ギア５３、トルクリミッタ７０、ギア５４、ギア５５およびラックギア６２を介してラックプレート６０へと伝達されるように構成されている。
【００４５】
また、水平旋回駆動部４０は、図３および図５に示すように、台座部３０上の旋回板３１を水平面内で左右方向（図１の矢印Ａ方向およびＢ方向）に回動させるための伝達ギア部４１と、伝達ギア部４１の駆動源となるステッピングモータ４２とから構成されている。また、水平旋回駆動部４０は、図３および図４に示すように、台座部３０の内部に配置されるように構成されている。また、伝達ギア部４１は、図３に示すように、樹脂製のギア４３と、トルクリミッタ７５と、樹脂製のギア４４と、樹脂製のギア４５とが樹脂製のギアボックス４６に配置されるように構成されている。
【００４６】
また、図３および図５に示すように、ステッピングモータ４２の回転軸には、樹脂製のウォームギア４７が圧入されている。また、ギア４３は、大径ギア部４３ａと、小径ギア部４３ｂとを一体的に含んでいる。また、ギア４４は、大径ギア部４４ａと、小径ギア部４４ｂとを一体的に含んでいる。さらに、ギア４５は、大径ギア部４５ａと、小径ギア部４５ｂとを一体的に含んでいる。また、樹脂製の旋回ギア部材４８が、４つのネジ９０によって台座部３０の旋回板３１の上面３１ａに固定されている。
【００４７】
また、図３および図５に示すように、ウォームギア４７は、ギア４３の大径ギア部４３ａに対して回転軸が直交するように噛合されているとともに、ギア４３の小径ギア部４３ｂは、トルクリミッタ７５の原動側ギア７７に噛合されている。また、トルクリミッタ７５の従動側ギア７６は、ギア４４の大径ギア部４４ａに噛合されているとともに、ギア４４の小径ギア部４４ｂは、ギア４５の大径ギア部４５ａに噛合されている。また、ギア４５の小径ギア部４５ｂは、旋回ギア部材４８の旋回ギア部４８ａに噛合されている。したがって、ステッピングモータ４２の駆動力が、ウォームギア４７、ギア４３、トルクリミッタ７５、ギア４４、ギア４５および旋回ギア部材４８を介して旋回板３１へと伝達されるように構成されている。
【００４８】
また、伝達ギア部５１および４１の中に組み込まれているトルクリミッタ７０および７５は、ステッピングモータ５２および４２の駆動力が所定のトルク値以下の場合に、ステッピングモータ５２および４２の駆動力を伝達ギア部５１および４１に伝達するとともに、ステッピングモータ５２および４２の駆動力が所定のトルク値以上となった場合は、ステッピングモータ５２および４２の駆動力を伝達ギア部５１および４１に伝達させないような機能を有するように構成されている。
【００４９】
また、図１および図２に示すように、ディスプレイ本体１０は、樹脂製のフロントキャビネット１１と、樹脂製のリアキャビネット１２とを含む。また、ディスプレイ本体１０は、表示画面支持部材８１のネジ挿入孔８１ｃ（図２参照）を介して、リアキャビネット１２のネジ取付孔（図示せず）にネジ９０が締め付けられることにより、表示画面支持部材８１に取り付けられている。また、リアキャビネット１２には、表示画面支持部材８１を覆い隠して配置するための切欠部１２ａが一体的に設けられている。また、リアキャビネット１２の外周部には、複数のネジ挿入孔１２ｂが設けられ、ネジ９１によってフロントキャビネット１１に取り付けられるように構成されている。
【００５０】
また、表示画面旋回装置２０には、図４に示すように、樹脂製のカバー部材２１が、台座部３０のベース部材３４の下面側から挿入されたネジ（図示せず）によってベース部材３４に取り付けられている。また、図１および図４に示すように、樹脂製のカバー部材２２が上方から台座部３０を覆うとともに、台座部３０の旋回板３１と一体的に水平方向（図１の矢印Ａ方向およびＢ方向）に旋回することが可能なように旋回板３１の上面３１ａにネジ（図示せず）によって取り付けられている。また、図２および図４に示すように、樹脂製のカバー部材２２には、表示画面支持機構８０（表示画面支持部材８１）を前後方向（図１の矢印Ｃ方向およびＤ方向）に回動可能に配置するための切欠部２２ａが設けられている。
【００５１】
図９〜図２０は、図１に示した本発明の本実施形態による表示画面旋回装置の垂直方向および水平方向の旋回動作を説明するための図である。次に、図１、図３、図４および図９〜図２０を参照して、本実施形態による表示画面旋回装置２０の前後方向および左右方向の旋回動作について説明する。
【００５２】
なお、図４に示すように、表示画面旋回装置２０が表示画面支持機構８０を垂直面に対して前後方向（矢印Ｃ方向および矢印Ｄ方向）に回動させた場合、ディスプレイ本体１０は、上向き方向および下向き方向に回動されるので、以降の動作説明では、前後方向を上向きおよび下向き方向として記述する。
【００５３】
まず、表示画面旋回装置２０の上向きおよび下向き方向（図１の矢印Ｃ方向および矢印Ｄ方向）の旋回動作について説明する。
【００５４】
図３に示すように、表示画面支持部材８１が台座部３０上の旋回板３１に対して垂直であるとともに正面を向いた状態（旋回ギア部材４８の旋回ギア部４８ａの中央部がギア４５の小径ギア部４５ｂと噛合しているとともに、ラックギア６３と回動ギア８７との噛合方向である矢印Ｓ方向および矢印Ｔ方向と、ラックプレート６０のプレート部材６１が直線移動する方向である矢印Ｐ方向および矢印Ｑ方向とが一致している状態）から、ユーザが付属リモコン（図示せず）の上方向チルトボタン（図示せず）を押圧することによって、ディスプレイ本体１０（図１参照）を上向き方向（図１の矢印Ｃ方向）に旋回させる信号がディスプレイ本体１０の制御回路部（図示せず）に送信される。この信号に基づいて、表示画面旋回装置２０のステッピングモータ５２が駆動される。具体的には、図３に示すように、ステッピングモータ５２が駆動するのに伴って、ステッピングモータ５２に取り付けられたウォームギア５７が回転するとともに、ギア５３を介してトルクリミッタ７０の原動側ギア７２が矢印Ｅ１方向に回転する。そして、トルクリミッタ７０の従動側ギア７１が同じく矢印Ｅ１方向に回転するとともに、ギア５４を介してギア５５が矢印Ｅ２方向に回転する。これにより、ギア５５の矢印Ｅ２方向への回転に伴い、ギア５５に対して水平方向に噛合するラックギア６２とともにラックプレート６０のプレート部材６１が矢印Ｐ方向に移動する。
【００５５】
ここで、本実施形態では、プレート部材６１が矢印Ｐ方向に移動することにより、プレート部材６１の挿入孔６１ｃに突出部６３ａが挿入されているラックギア６３も、プレート部材６１に伴って矢印Ｓ方向に移動される。これにより、ラックギア６３が矢印Ｓ方向に移動されると、図９に示すように、ラックギア６３と噛合している回動ギア８７が、噛合状態を維持したまま、矢印Ｃ方向に回動される。この結果、図１０に示すように、表示画面支持部材８１は、上向き方向（矢印Ｃ方向）へ旋回される。
【００５６】
その際、表示画面支持部材８１の扇状の穴部８１ｄの根元部８１ｉと支持軸８３の上面とが当接しながら、表示画面支持部材８１と支持軸８３とが、一体的に垂直支持部材８２の扇状の穴部８２ｄの根元部８２ｅを回動中心として、矢印Ｃ方向に回動する。そして、ステッピングモータ５２（図３参照）の駆動に伴って、ディスプレイ本体１０が取り付けられた表示画面支持部材８１が所定の旋回速度で矢印Ｃ方向への旋回を継続する。
【００５７】
そして、表示画面支持部材８１が、ユーザが所望する角度まで矢印Ｃ方向に旋回された場合、ユーザは付属リモコン（図示せず）の上方向チルトボタン（図示せず）の押圧を解除することによって、ディスプレイ本体１０（図１参照）を上向き方向（矢印Ｃ方向）に旋回させる信号がディスプレイ本体１０の制御回路部（図示せず）に送信されなくなる。したがって、ステッピングモータ５２の駆動が停止される。これにより、表示画面支持部材８１は、矢印Ｃ方向への旋回を停止するとともに静止される。
【００５８】
また、ディスプレイ本体１０（図１参照）の上向き方向（矢印Ｃ方向）への旋回動作がユーザによって継続されている状態において、図１０に示すように、ラックプレート６０が矢印Ｐ方向にスライドされるとともに、プレート部材６１の長孔６１ａおよび６１ｂの内側面の一方端部がボス部材３５の側面にそれぞれ当接することによって、ラックプレート６０は、矢印Ｐ方向へのスライドが規制される。この際、表示画面支持部材８１は所定の旋回角度に到達される。したがって、ディスプレイ本体１０は、矢印Ｃ方向への旋回を停止するとともに静止される。この際、ステッピングモータ５２（図３参照）は駆動を継続しているが、ステッピングモータ５２の駆動力が所定のトルク値以上となった場合は、ステッピングモータ５２の駆動力は伝達ギア部５１に伝達されない。このため、ラックプレート６０の矢印Ｐ方向への移動（スライド）が停止した場合には、ステッピングモータ５２の駆動に関係なく回転が停止される。
【００５９】
また、図３に示すように、表示画面支持部材８１が台座部３０上の旋回板３１に対して垂直であるとともに正面を向いた状態から、ユーザが付属リモコン（図示せず）の下方向チルトボタン（図示せず）を押圧することによって、ディスプレイ本体１０（図１参照）を下向き方向（図１の矢印Ｄ方向）に旋回させる信号がディスプレイ本体１０の制御回路部（図示せず）に送信されるとともに、表示画面旋回装置２０のステッピングモータ５２が駆動される。そして、ステッピングモータ５２に取り付けられたウォームギア５７が回転するとともに、ギア５３を介してトルクリミッタ７０の原動側ギア７２が矢印Ｆ１方向に回転する。そして、トルクリミッタ７０の従動側ギア７１が矢印Ｆ１方向に回転するとともに、ギア５４を介してギア５５が矢印Ｆ２方向に回転する。そして、ラックギア６２とともにラックプレート６０が矢印Ｑ方向に移動される。
【００６０】
ここで、本実施形態では、プレート部材６１が矢印Ｑ方向に移動することにより、プレート部材６１の挿入孔６１ｃに突出部６３ａが挿入されているラックギア６３も、プレート部材６１に伴って矢印Ｔ方向に移動される。これにより、ラックプレート６０のラックギア６３が矢印Ｔ方向に移動されると、図１１に示すように、ラックギア６３と噛合している回動ギア８７が、噛合状態を維持したまま、矢印Ｄ方向に回動される。この結果、図１２に示すように、表示画面支持部材８１は、所定の回転速度で下向き方向（矢印Ｄ方向）へ旋回される。
【００６１】
その際、表示画面支持部材８１の扇状の穴部８１ｄの根元部８１ｉと支持軸８３の上面とが当接しながら、表示画面支持部材８１と支持軸８３とが一体的に垂直支持部材８２の扇状の穴部８２ｄの根元部８２ｅを回動中心として、矢印Ｄ方向に回動する。
【００６２】
そして、ディスプレイ本体１０（図１参照）が、ユーザが所望する角度まで矢印Ｄ方向に旋回された場合、ユーザは付属リモコン（図示せず）の下方向チルトボタン（図示せず）の押圧を解除することによって、ディスプレイ本体１０を下向き方向（矢印Ｄ方向）に旋回させる信号がディスプレイ本体１０の制御回路部（図示せず）に送信されなくなり、ステッピングモータ５２の駆動が停止される。これにより、表示画面支持部材８１は、矢印Ｄ方向への旋回を停止するとともに静止される。
【００６３】
また、ディスプレイ本体１０（図１参照）の下向き方向（矢印Ｄ方向）への旋回動作がユーザによって継続されている状態において、図１２に示すように、矢印Ｑ方向にスライドされたラックプレート６０が、プレート部材６１の長孔６１ａおよび６１ｂの内側面の他方端部がボス部材３５の側面にそれぞれ当接されることによって、ラックプレート６０は、矢印Ｑ方向へのスライドが規制される。したがって、ディスプレイ本体１０は、矢印Ｄ方向への旋回を停止するとともに静止される。この際、ステッピングモータ５２（図３参照）は駆動を継続しているが、ステッピングモータ５２の駆動力が所定のトルク値以上となった場合は、ステッピングモータ５２の駆動力は伝達ギア部５１に伝達されない。このため、ラックプレート６０の矢印Ｑ方向への移動（スライド）が停止した場合には、ステッピングモータ５２の駆動に関係なく回転が停止される。
【００６４】
次に、表示画面旋回装置２０の水平面内における左右方向の旋回動作について説明する。
【００６５】
まず、図４に示すように、表示画面支持部材８１が台座部３０上の旋回板３１に対して垂直であるとともに正面を向いた状態から、ユーザが付属リモコン（図示せず）の水平ターンボタン（図示せず）を押圧することによって、ディスプレイ本体１０（図１参照）を左方向（図１の矢印Ａ方向）に旋回させる信号がディスプレイ本体１０の制御回路部（図示せず）に送信されるとともに、表示画面旋回装置２０のステッピングモータ４２が駆動される。具体的には、図１３に示すように、ステッピングモータ４２が駆動するのに伴って、ステッピングモータ４２に取り付けられたウォームギア４７が回転するとともに、ギア４３を介してトルクリミッタ７５の原動側ギア７７が矢印Ｅ３方向に回転する。そして、トルクリミッタ７５の従動側ギア７６が矢印Ｅ３方向に回転するとともに、ギア４４およびギア４５を介して、旋回ギア部材４８が矢印Ｅ４向に回転する。これにより、表示画面支持部材８１が取り付けられた台座部３０上の旋回板３１が矢印Ｇ１方向に旋回するので、ディスプレイ本体１０は、左方向（図１の矢印Ａ方向）へ所定の回転速度で旋回される。
【００６６】
その際、表示画面支持部材８１に固定されている回動ギア８７も、図１３に示すように、表示画面支持部材８１の旋回に伴って矢印Ｈ１方向に回動される。この際、図１４に示すように、回動ギア８７と噛合するように配置されているラックギア６３も、噛合を保ったまま回動ギア８７の回動に伴って回動される。また、ラックギア６３と回動ギア８７とは、図１３に示すように、旋回板３１および表示画面支持部材８１の左右方向（矢印Ｇ１方向および矢印Ｇ２方向）の回動中心線上に位置しているので、ラックギア６３は、旋回板３１の旋回動作に伴って突出部６３ａを中心として矢印Ｈ１方向に回動するが、初期位置から移動しない。したがって、ラックギア６３が初期位置から移動しないので、ラックギア６３が設けられているラックプレート６０において、ラックギア６３が移動した場合に行われる矢印Ｐ方向および矢印Ｑ方向への直線的な移動（スライド移動）は行われない。これにより、ディスプレイ本体１０の左方向の旋回時に、ディスプレイ本体１０が上向きおよび下向き方向（図１の矢印Ｃ方向および矢印Ｄ方向）に旋回することを抑制することが可能となる。
【００６７】
そして、ディスプレイ本体１０（図１参照）が、ユーザが所望する角度まで旋回された場合、ユーザは付属リモコン（図示せず）の水平ターンボタン（図示せず）の押圧を解除することによって、ディスプレイ本体１０を左方向（図１の矢印Ａ方向）に旋回させる信号がディスプレイ本体１０の制御回路部（図示せず）に送信されなくなり、ステッピングモータ４２の駆動が停止される。これにより、台座部３０は、図１３および図１５に示すように、矢印Ｇ１方向への旋回を停止するとともに静止される。
【００６８】
また、ディスプレイ本体１０（図１参照）の左方向（図１の矢印Ａ方向）への旋回動作がユーザによって継続されている状態において、台座部３０の旋回角度が最大（本実施形態では３０度）となった場合は、旋回板３１は台座部３０の内部に設けられたストッパ部材（図示せず）に当接することによって、左方向（図１の矢印Ａ方向）への旋回動作が規制される。したがって、台座部３０は、矢印Ｇ１方向への旋回を停止するとともに静止される。この際、ステッピングモータ４２（図１３参照）は駆動を継続しているが、ステッピングモータ４２の駆動力が所定のトルク値以上となった場合は、ステッピングモータ４２の駆動力を伝達ギア部４１（図１３参照）に伝達されない。このため、旋回板３１がストッパ部材（図示せず）に当接した場合には、ステッピングモータ４２の駆動に関係なく回転が停止される。
【００６９】
なお、上記の旋回動作は、台座部３０を図３および図１３に示す矢印Ｇ１方向に旋回させる際について説明したが、矢印Ｇ１方向とは反対の矢印Ｇ２方向へ旋回板３１を旋回させる旋回動作の際も、水平旋回駆動部４０によって上記と同様の旋回動作が行われる。このため、旋回板３１が矢印Ｇ２方向へ旋回されることによって、ディスプレイ本体１０（図１参照）は右方向（図１の矢印Ｂ方向）に旋回されることが可能である。
【００７０】
次に、図１３および図１５に示すように、台座部３０上に垂直に載置されたディスプレイ本体１０が左方向（図１の矢印Ａ方向）に所定の角度だけ旋回された状態で、さらに、ディスプレイ本体１０（図１参照）が下向き方向（図１の矢印Ｄ方向）に旋回される場合の旋回動作について説明する。
【００７１】
まず、図１３および図１５に示すように、ユーザによって台座部３０上の旋回板３１が左方向（矢印Ｇ１方向）に所定の角度旋回されるとともにその位置で旋回動作が停止された状態（ラックギア６３と回動ギア８７との噛合方向である矢印Ｓ方向および矢印Ｔ方向と、ラックプレート６０のプレート部材６１が直線移動する方向である矢印Ｐ方向および矢印Ｑ方向とが一致していない状態）において、付属リモコン（図示せず）の下方向チルトボタン（図示せず）を押圧することによって、上述と同様に、垂直旋回駆動部５０（図１３参照）が駆動を開始する。つまり、ラックプレート６０は、図１３に示した位置から図１６に示すように、矢印Ｑ方向に移動（スライド）を開始する。
【００７２】
ここで、本実施形態では、ラックプレート６０の矢印Ｑ方向への移動に伴って、ラックギア６３も同様にラックギア６３と回動ギア８７との噛合方向（矢印Ｓ方向および矢印Ｔ方向）と異なる方向である矢印Ｑ方向に移動される。ここで、回動ギア８７は、ラックギア６３と回動ギア８７との噛合方向（矢印Ｓ方向および矢印Ｔ方向）と垂直な方向（矢印Ｉ方向および矢印Ｊ方向）に、ラックギア６３上をスライド移動することができるように構成されているので、図１７に示すように、ラックプレート６０のラックギア６３に噛合された回動ギア８７は、矢印Ｉ方向にスライドしながら矢印Ｄ方向に回動される。これにより、回動ギア８７が固定されている表示画面支持部材８１は、下向き方向（矢印Ｄ方向）へ旋回される。
【００７３】
その後の旋回動作は、前述のディスプレイ本体１０（図１参照）が左右方向（図１の矢印Ａ方向および矢印Ｂ方向）に旋回していない状態からディスプレイ本体１０が下向き方向（図１の矢印Ｄ方向）に旋回される場合と同様である。
【００７４】
また、図１９に示すように、ディスプレイ本体１０（図１参照）が左方向（図１の矢印Ａ方向）に所定の角度だけ旋回された状態からディスプレイ本体１０が上向き方向（図１の矢印Ｃ方向）に旋回される場合も、図２０に示すように、ラックギア６３に噛合された回動ギア８７が、矢印Ｊ方向にスライドしながら矢印Ｃ方向に回動されることによって、上記ディスプレイ本体１０が左方向（図１の矢印Ａ方向）に所定の角度だけ旋回された状態からディスプレイ本体１０が下向き方向（図１の矢印Ｄ方向）に旋回する動作と同様である。
【００７５】
また、ディスプレイ本体１０（図１参照）が右方向（図１の矢印Ｂ方向）に所定の角度だけ旋回された状態から、ディスプレイ本体１０が上向きおよび下向き方向（図１の矢印Ｃ方向および矢印Ｄ方向）に旋回される場合も、上記ディスプレイ本体１０が左方向（図１の矢印Ａ方向）に所定の角度だけ旋回された状態からディスプレイ本体１０が上向き方向（図１の矢印Ｃ方向）に旋回する動作と同様である。
【００７６】
また、ディスプレイ本体１０（図１参照）が上向きおよび下向き方向（図１の矢印Ｃ方向および矢印Ｄ方向）に所定の角度だけ旋回された状態からディスプレイ本体１０が左右方向（図１の矢印Ａ方向および矢印Ｂ方向）される場合も、ラックギア６３と回動ギア８７との噛合が保たれたまま、上記左右方向の旋回動作と同様の動作が行われる。
【００７７】
本実施形態では、上記のように、ラックプレート６０が水平面内で矢印Ｐ方向および矢印Ｑ方向（図３参照）に直線移動されることに伴ってラックギア６３が移動されることにより、ラックギア６３に噛合された回動ギア８７が移動されることによって、表示画面支持部材８１を垂直面に対して所定の角度前後方向（図１の矢印Ｃ方向および矢印Ｄ方向）に回動するように構成することによって、ラックプレート６０を水平面内で矢印Ｐ方向および矢印Ｑ方向に直線移動させることにより、表示画面支持部材８１を前後方向に回動させることによって、ラックプレート６０を垂直上方に移動させることにより、表示画面支持部材８１に下方からの押圧力を加えて前後方向に回動させる場合と比べて、ディスプレイ本体１０の垂直下方に働く重量の影響を少なくすることができるので、大きな力を必要とせずに表示画面支持部材８１を垂直面に対して所定の角度前後方向に回動することができる。また、ギア部材であるラックギア６３および回動ギア８７を用いることにより、ギアの複数の歯に力が分散されるので、ディスプレイ本体１０の垂直下方に働く重量が実質的に一点に集中するように構成される上下方向に移動するように設けられたネジ部材や、ディスプレイ本体１０の重量による負荷が固定部に加えられるように構成される連結部材を用いる場合に比べて、表示画面支持部材８１を垂直面に対して所定の角度前後方向に回動させるための部品の破損を抑制することができる。
【００７８】
また、本実施形態では、ラックギア６３を、ラックプレート６０に対して水平面内で矢印Ｈ１方向および矢印Ｈ２方向（図３参照）に回動可能に設けることによって、表示画面支持部材８１が水平面内で所定の角度回動した状態であっても、回動ギア８７とラックギア６３とを噛合させることができるので、表示画面支持部材８１を垂直面に対して所定の角度前後方向（図１の矢印Ｃ方向および矢印Ｄ方向）に回動させることができる。
【００７９】
また、本実施形態では、回動ギア８７を、表示画面支持部材８１に対して回動しないように固定するとともに、ラックギア６３を、表示画面支持部材８１が水平面内で矢印Ｇ１方向および矢印Ｇ２方向（図３参照）に回動するのに伴って、回動ギア８７を介して水平面内で矢印Ｈ１方向および矢印Ｈ２方向（図３参照）に回動するように構成することによって、ラックギア６３を矢印Ｈ１方向および矢印Ｈ２方向に回動するために別途部材を必要としないので、部品点数の増加を抑制することができる。
【００８０】
また、本実施形態では、表示画面支持部材８１が水平面内で矢印Ｇ１方向および矢印Ｇ２方向（図３参照）に回動されることに伴って、回動ギア８７およびラックギア６３が矢印Ｈ１方向および矢印Ｈ２方向（図３参照）に回動されることにより、ラックプレート６０の移動方向（図３の矢印Ｐ方向および矢印Ｑ方向）と、回動ギア８７とラックギア６３との噛合方向（図３の矢印Ｓ方向および矢印Ｔ方向）とが異なっている状態において、ラックプレート６０が水平面内で矢印Ｐ方向および矢印Ｑ方向に直線移動されることに伴ってラックギア６３が移動される場合に、ラックギア６３に噛合された回動ギア８７を、ラックギア６３の移動に伴って噛合方向に移動可能で、かつ、噛合方向と垂直な方向（図１４の矢印Ｉ方向および矢印Ｊ方向）にラックギア６３に対してスライド移動可能なように構成することによって、ラックプレート６０の移動方向と、回動ギア８７とラックギア６３との噛合方向とが異なっている状態においても、ラックプレート６０が移動した際に、回動ギア８７が噛合方向と垂直な方向にラックギア６３に対してスライド移動することにより、回動ギア８７とラックギア６３との噛合は維持される。これにより、ラックプレート６０の移動方向と、回動ギア８７とラックギア６３との噛合方向とが異なっている状態においても、ラックプレート６０の直線移動によって、表示画面支持部材８１を垂直面に対して所定の角度前後方向（図１の矢印Ｃ方向および矢印Ｄ方向）に回動させることができる。
【００８１】
また、本実施形態では、回動ギア８７の下面（歯面）８７ｄを、側面から見て、ラックギア６３に向かって凸形状で、かつ、円弧状の形状を有するように形成するとともに、ラックギア６３を、歯面６３ｂに平坦面状に形成された複数の歯先を有するように構成することによって、ラックギア６３が設けられているラックプレート６０が水平面内で矢印Ｐ方向および矢印Ｑ方向（図３参照）に直線移動することにより、ラックギア６３の歯面６３ｂが水平面内で直線移動する。これにより、ラックギア６３に噛合され、ラックギア６３に向かって凸形状で、かつ、円弧状の下面（歯面）８７ｄを有する回動ギア８７は、ラックギア６３の直線移動に伴って回動するように移動されるので、回動ギア８７が設けられている表示画面支持部材８１を、垂直面に対して所定の角度前後方向（図１の矢印Ｃ方向および矢印Ｄ方向）に回動させることができる。
【００８２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８３】
たとえば、上記実施形態では、テレビジョン装置の一例としての液晶テレビジョン１００に表示画面旋回装置２０を設ける例を示したが、本発明はこれに限らず、有機ＥＬパネルなどの液晶パネル以外のディスプレイ本体（表示パネル）を有するテレビジョン装置に表示画面旋回装置を設けるようにしてもよい。
【００８４】
また、上記実施形態では、略円弧状の歯面を有する回動ギア８７を表示画面支持部材８１の下面に配置するとともに、平坦面状の歯面を有するラックギア６３を、ラックプレート６０の上面に配置する例を示したが、本発明はこれに限らず、平坦面状の歯面を有する第２ギアを、表示画面支持部材の下面に配置するとともに、第２ギアに向かって凸形状で、かつ、略円弧状の歯面を有する第１ギアをラックプレートの上面に配置するように構成してもよい。
【００８５】
また、上記実施形態では、ラックプレート６０を水平面内で矢印Ｐ方向および矢印Ｑ方向（図３参照）に直線移動させるために、ラックギア６２をギア５５の小径ギア部５５ｂを噛合させることによって、回転運動を直線移動に変換するように構成している例を示したが、本発明はこれに限らず、ソレノイドなどの直線移動可能なものをラックプレートに取り付けることによって、ラックプレートを水平面内で直線移動可能なように構成してもよい。
【００８６】
また、上記実施形態では、水平旋回駆動部４０および垂直旋回駆動部５０の駆動源としてステッピングモータ４２および５２をそれぞれ設ける例を示したが、本発明はこれに限らず、１つの駆動源によって水平旋回駆動部および垂直旋回駆動部の両方を駆動させるようにしてもよい。
【図面の簡単な説明】
【００８７】
【図１】本発明の一実施形態による表示画面旋回装置が設けられた液晶テレビジョンの全体構成を示した斜視図である。
【図２】図１に示した本発明の一実施形態による表示画面旋回装置が設けられた液晶テレビジョンの分解斜視図である。
【図３】図１に示した本発明の一実施形態による表示画面旋回装置の構成を説明するための平面図である。
【図４】図１に示した本発明の一実施形態による表示画面旋回装置の構成を説明するための断面図である。
【図５】図１に示した本発明の一実施形態による表示画面旋回装置の詳細構造を説明するための分解斜視図である。
【図６】本発明の一実施形態による表示画面支持機構および旋回板の詳細構造を説明するための分解斜視図である。
【図７】本発明の一実施形態による表示画面支持部材と垂直支持部材とを支持軸により組み付けた図である。
【図８】本発明の一実施形態によるラックギアと回動ギアとの噛合を示した図である。
【図９】本発明の一実施形態によるラックギアを矢印Ｓ方向に移動させた場合のラックギアと回動ギアとの噛合を示した図である。
【図１０】図１に示した本発明の一実施形態による表示画面旋回装置の上向き方向（矢印Ｃ方向）の旋回動作を説明するための断面図である。
【図１１】本発明の一実施形態によるラックギアを矢印Ｔ方向に移動させた場合のラックギアと回動ギアとの噛合を示した図である。
【図１２】図１に示した本発明の一実施形態による表示画面旋回装置の下向き方向（矢印Ｄ方向）の旋回動作を説明するための断面図である。
【図１３】図１に示した本発明の一実施形態による表示画面旋回装置の左方向（矢印Ａ方向）の旋回動作を説明するための平面図である。
【図１４】本発明の一実施形態による表示画面旋回装置を左方向（矢印Ａ方向）に旋回させた場合のラックギアと回動ギアとの噛合を示した図である。
【図１５】図１に示した本発明の一実施形態による表示画面旋回装置の左方向（矢印Ａ方向）の旋回動作を説明するための斜視図である。
【図１６】図１に示した本発明の一実施形態による表示画面旋回装置を左方向（矢印Ａ方向）に旋回させた場合の表示画面旋回装置の下向き方向（矢印Ｄ方向）の旋回動作を説明するための平面図である。
【図１７】図１に示した本発明の一実施形態による、表示画面旋回装置を左方向（矢印Ａ方向）に旋回させるとともに下向き方向（矢印Ｄ方向）に旋回させた場合の、ラックギアと回動ギアとの噛合を示した図である。
【図１８】図１に示した本発明の一実施形態による表示画面旋回装置を左方向（矢印Ａ方向）に旋回させた場合の表示画面旋回装置の下向き方向（矢印Ｄ方向）の旋回動作を説明するための斜視図である。
【図１９】図１に示した本発明の一実施形態による表示画面旋回装置を左方向（矢印Ａ方向）に旋回させた場合の表示画面旋回装置の上向き方向（矢印Ｃ方向）の旋回動作を説明するための平面図である。
【図２０】図１に示した本発明の一実施形態による、表示画面旋回装置を左方向（矢印Ａ方向）に旋回させるとともに上向き方向（矢印Ｃ方向）に旋回させた場合の、ラックギアと回動ギアとの噛合を示した図である。
【符号の説明】
【００８８】
１０  ディスプレイ本体（表示画面部）
２０  表示画面旋回装置
６０  ラックプレート
６３  ラックギア（第２ギア）
８１  表示画面支持部材
８７  回動ギア（第１ギア）
１００  液晶テレビジョン（テレビジョン装置）
【図１】
0004530075.tif 000002
【図２】
0004530075.tif 000003
【図３】
0004530075.tif 000004
【図４】
0004530075.tif 000005
【図５】
0004530075.tif 000006
【図６】
0004530075.tif 000007
【図７】
0004530075.tif 000008
【図８】
0004530075.tif 000009
【図９】
0004530075.tif 000010
【図１０】
0004530075.tif 000011
【図１１】
0004530075.tif 000012
【図１２】
0004530075.tif 000013
【図１３】
0004530075.tif 000014
【図１４】
0004530075.tif 000015
【図１５】
0004530075.tif 000016
【図１６】
0004530075.tif 000017
【図１７】
0004530075.tif 000018
【図１８】
0004530075.tif 000019
【図１９】
0004530075.tif 000020
【図２０】
0004530075.tif 000021